(57)【要約】【課題】利用者に対するサービスの向上および売り上げの向上を図る。【解決手段】投票端末１０は、読取部１１と、判定部１２と、印刷部１３とを備える。読取部１１は、投入された投票券の表面の情報である投票券情報を読み取る。判定部１２は、投票券情報に基づいて、投票券の再利用の可否を判定し、投票券が再利用可能である場合に投票券情報に応じてギフト情報を生成する。印刷部１３は、投票券にギフト情報を印刷する。投票端末１０は、ギフト情報が印刷された投票券をギフト券として排出する。【選択図】図１
2019125276.tif 000002
【特許請求の範囲】
【請求項１】
投入された投票券の表面の情報である投票券情報を読み取る読取部と、
前記投票券情報に基づいて、前記投票券の再利用の可否を判定し、前記投票券が再利用可能である場合に前記投票券情報に応じてギフト情報を生成する判定部と、
前記投票券に前記ギフト情報を印刷する印刷部と、を備え、
前記ギフト情報が印刷された前記投票券をギフト券として排出する、
投票端末。
【請求項２】
前記判定部は、
前記投票券情報に基づいて、前記投票券の発行場所を特定し、
前記発行場所に基づいて、前記ギフト情報に含まれるギフト券の金額を決定する、
請求項１記載の投票端末。
【請求項３】
前記判定部は、
投入された前記投票券の枚数に基づいて、前記ギフト情報に含まれるギフト券の金額を決定する、
請求項１記載の投票端末。
【請求項４】
前記判定部は、
前記投票券情報に基づいて、前記投票券の発行場所を特定し、
前記発行場所に基づいて前記ギフト情報に含まれるギフト券が使用可能な場所を決定する、
請求項１記載の投票端末。
【請求項５】
前記判定部は、
前記投票券の投入された日付に基づいて、前記ギフト情報に含まれるギフト券の有効期限を決定する、
請求項１記載の投票端末。
【請求項６】
前記判定部は、
前記投票券が投票対象とする競技が開催された日付に基づいて、前記ギフト情報に含まれるギフト券の有効期限を決定する、
請求項１記載の投票端末。
【請求項７】
前記判定部は、
前記投票券情報に基づいて、前記投票券の汚損の有無を判定し、
判定の結果、前記投票券に汚損が生じていない場合に前記投票券を再利用可能と判定する、
請求項１記載の投票端末。
【請求項８】
読取部と判定部と印刷部とを備えた投票端末におけるギフト券印刷方法であって、
前記読取部は、投入された投票券の表面の情報である投票券情報を読み取り、
前記判定部は、前記投票券情報に基づいて、前記投票券の再利用の可否を判定し、前記投票券が再利用可能である場合に前記投票券情報に応じてギフト情報を生成し、
前記印刷部は、前記投票券に前記ギフト情報を印刷し、
前記ギフト情報が印刷された前記投票券をギフト券として排出する、
ギフト券印刷方法。
【請求項９】
投入された投票券の表面の情報である投票券情報を読み取る読取部と、
前記投票券情報に基づいて、前記投票券の再利用の可否を判定し、前記投票券が再利用可能である場合に前記投票券情報に応じてギフト情報を生成する判定部と、
前記投票券に前記ギフト情報を印刷する印刷部と、
ホストコンピュータへ前記投票券の投票内容に関する情報を送信するインタフェースと、
を備える投票端末と、
前記投票端末から前記投票内容に関する情報を受信する前記ホストコンピュータと、
を有する投票システム。
【発明の詳細な説明】
【技術分野】
【０００１】
本発明は、投票端末、ギフト券印刷方法および投票システムに関する。
【背景技術】
【０００２】
従来から、競馬、競輪、競艇、オートレース等の公営競技場やその場外投票券売場などに設置される投票券を発売または払戻しを行う投票端末がある。発券する投票券発売機や、的中した投票券を払い戻す払戻機およびその両方の機能を備えた投票券発払機（投票端末）が知られている。
【０００３】
利用者（投票者やファンとも記載する）は、投票内容に応じてマークを記入した投票カード（マークカード）と現金とを投票端末に投入し、馬券等の投票券を購入することができる。利用者は、投票券のうち的中した投票券（以下、的中券と記載する）について、払い戻しを受けるために窓口に持参するか投票端末に投入する。
【０００４】
不的中の投票券（以下、不的中券と記載する）については、主催者側がごみとして廃棄するため、ごみ処理の費用が必要となっている。また、利用者が、不的中の投票券（以下、不的中券と記載する）について公営競技場の周辺に放置する場合があり、景観上の問題が生じている。また、利用者が放置した不的中券が散乱することにより、公営競技場および周辺の清掃の労力と費用が問題となっている。
【０００５】
投票端末に挿入された不的中投票券の枚数をポイントに換算し、ポイントカードの磁気記録部にポイント値を書き込んでポイントカードを排出する技術が知られている。この技術は、利用者が不的中券を投票端末に挿入することで、路上への廃棄が抑制されるものである。
【先行技術文献】
【特許文献】
【０００６】
【特許文献１】特開２００２−３２４２５８号公報
【発明の概要】
【発明が解決しようとする課題】
【０００７】
従来の技術においては、投票端末に挿入されて回収された不的中券は、すべてごみとして廃棄処分されており、リサイクル（再利用）の対象とはなっていなかった。また、利用者に対して、ポイントカードのポイントで加算する方法では、ポイントカードを所持する必要があった。また、従来の技術においては、主催者側が、不的中券の回収ができるのみであり、新たなファンの獲得による売り上げ向上を図るものではなかった。
【０００８】
このため、不的中券を利用した利用者に対するサービスの向上および売り上げの向上が望まれている。
一側面では、本発明は、利用者に対するサービスの向上および売り上げの向上を図る投票端末、ギフト券印刷方法および投票システムを提供することを目的とする。
【課題を解決するための手段】
【０００９】
上記目的を達成するために、以下に示すような投票端末を提供する。投票端末は、読取部と、判定部と、印刷部とを備える。読取部は、投入された投票券の表面の情報である投票券情報を読み取る。判定部は、投票券情報に基づいて、投票券の再利用の可否を判定し、投票券が再利用可能である場合に投票券情報に応じてギフト情報を生成する。印刷部は、投票券にギフト情報を印刷する。投票端末は、ギフト情報が印刷された投票券をギフト券として排出する。
【発明の効果】
【００１０】
一態様によれば、利用者に対するサービスの向上および売り上げの向上を図る。
【図面の簡単な説明】
【００１１】
【図１】第１の実施形態の投票端末の構成の一例を示す図である。
【図２】第２の実施形態の投票システムの構成の一例を示す図である。
【図３】第２の実施形態の投票端末のハードウェア構成の一例を示す図である。
【図４】第２の実施形態の再利用ユニットの構成の一例を示す図である。
【図５】第２の実施形態の投票券およびギフト券の一例を示す図である。
【図６】第２の実施形態のギフト情報設定ファイルの一例を示す図である。
【図７】第２の実施形態の投票券再利用処理のフローチャートの一例を示す図である。
【図８】第２の実施形態の再利用判定処理のフローチャートの一例を示す図である。
【図９】第２の実施形態のギフト情報生成処理のフローチャートの一例を示す図である。
【発明を実施するための形態】
【００１２】
以下、図面を参照して実施の形態を詳細に説明する。
［第１の実施形態］
まず、第１の実施形態の投票端末の構成について図１を用いて説明する。図１は、第１の実施形態の投票端末の構成の一例を示す図である。
【００１３】
投票端末１０は、読取部１１と、判定部１２と、印刷部１３とを備え、公営競技における投票券を受け付け、ギフト券の発券を行う。投票端末１０は、投入された投票券に応じてギフト券を発券するが、投入された投票券が取り扱い対象外と判定した場合は、ギフト券を発券せず投入された投票券を排出する。ギフト券は、利用者が投票券を購入する際に金券として用いることができるものである。
【００１４】
読取部１１は、投入された投票券の表面の情報を読み取る。読取部１１は、投票券から読み取った情報を投票券情報として判定部１２へ出力する。
判定部１２は、投票券情報に基づいて、再利用の可否を判定する。たとえば、判定部１２は、投票券にキズや汚れが付着している場合（汚損が生じている場合）、投票券を再利用不可と判定する。判定部１２は、投票券情報に基づいて、投票券の再利用の可否を判定し、投票券が再利用可能である場合に投票券情報に応じてギフト情報を生成する。ギフト情報は、ギフト券の内容を規定する情報である。たとえば、ギフト情報には、ギフト券を使用可能な場名（公営競技場の名称）、ギフト券で購入可能な投票券の業種（競馬、競輪、ボートレース等）、ギフト券の有効期間、ギフト券の金額等の情報が含まれる。
【００１５】
印刷部１３は、投票券にギフト情報を印刷する。印刷部１３は、インク、レーザ、熱、圧力、磁気などを用いて投票券にギフト情報を印刷できる機能を備える。
ここで、投票端末１０の動作について説明する。投票端末１０は、利用者から投票券が投入される。読取部１１は、投票券を読み取る。判定部１２は、読取部１１が読み取った情報に基づいて、投票券の再利用の可否を判定し、再利用可能である場合にギフト情報を生成する。印刷部１３は、投票券にギフト情報を印刷する。投票端末１０は、ギフト情報が印刷された投票券をギフト券として排出する。利用者は、排出されたギフト券を受け取る。
【００１６】
このようにして、投票端末１０において投票券をギフト券として提供することが可能となり、利用者に対するサービスの向上および売り上げの向上を図る投票端末、ギフト券印刷方法および投票システムを提供できる。また、投票券をギフト券としてリサイクルを行うことにより、資源の有効利用を図ることができる。
【００１７】
また、投票端末１０は、投票券が発行された場名に応じてギフト券の使用条件を設定することができる。たとえば、投票端末１０は、他の場で発行された投票券が投入された場合に、自場（投票端末１０が設置された場）でのみ使用可能なギフト券を排出することで、他場の利用者が自場を利用するように図ることができる。また、投票端末１０は、自場で発行された投票券が投入された場合に、自場でのみ使用可能なギフト券を排出することで、自場の利用者が再度自場で投票するよう（リピータ客となるよう）図ることができる。
【００１８】
このため、利用者がギフト券を得られることによる顧客サービスの向上および、利用者にギフト券を渡すことによる利用客の増加による売り上げの向上が見込める。
［第２の実施形態］
次に、第２の実施形態の投票システムについて図２を用いて説明する。図２は、第２の実施形態の投票システムの構成の一例を示す図である。
【００１９】
投票システム３００は、投票端末１００と、ホストコンピュータ２００とがネットワーク２５０を介して接続する構成を有する。なお、投票システム３００は、複数の投票端末１００や複数のホストコンピュータ２００を備えることができる。
【００２０】
投票端末１００は、図１に示した投票端末１０の一実施形態である。投票端末１００は、利用者（投票者）が現金と投票カードを投入することで投票券を購入する装置である。投票端末１００は、投票カード排出口１０１と、投票カード投入口１０２と、硬貨出入口１０３と、投票券排出口１０４と、紙幣出入口１０５と、ディスプレイ１０６と、タッチパネル１０７と、ギフト券排出口１０８と、投票券投入口１０９とを備える。ここでの説明は省略するが、払戻し機能を備えるものとする。
【００２１】
投票カード排出口１０１は、投票カードのマークに誤記（マークミス）がある場合に、投票カードを返却するための排出口である。投票カード投入口１０２は、投票者が投票したい内容を記載した投票申し込みマークカード（以下、投票カードと記載。）の投入口である。
【００２２】
硬貨出入口１０３は、硬貨の投入口であり、返却する硬貨または釣銭の排出口でもある。投票券排出口１０４は、発券された投票券の排出口である。紙幣出入口１０５は、紙幣の投入口であり、返却する紙幣または釣銭の排出口でもある。
【００２３】
ディスプレイ１０６は、タッチパネル１０７の下層に配置されており、操作案内、レース案内、投票カードの投票等の情報を表示する。タッチパネル１０７は、透過型のタッチパネルであり、各種の入力や投票内容の修正等の際に操作される。ディスプレイ１０６により表示された情報は、タッチパネル１０７を透過して、投票者から視認可能である。投票者は、ディスプレイ１０６により表示された情報を見ながら、タッチパネル１０７に対するタッチ操作を行うことができる。
【００２４】
ギフト券排出口１０８は、投入された投票券を再利用したギフト券が排出される排出口である。投票券投入口１０９は、投票券が投入される投入口である。なお、投票券排出口１０４と、ギフト券排出口１０８とを一体（同一の排出口）としてもよい。さらに、投票券排出口１０４と、ギフト券排出口１０８と、投票券投入口１０９とを一体（同一の出入口）としてもよい。
【００２５】
ホストコンピュータ２００は、システム全体を管理する管理装置であり、投票端末１００とネットワーク２５０を介して通信を行う。ホストコンピュータ２００は、投票端末１００に対し、投票券の発券や投票券の払い戻し等を管理するとともに、オッズの計算、配当金の計算等を行う。
【００２６】
ネットワーク２５０は、たとえば、ＬＡＮ（Local Area Network）、ＷＡＮ（Wide Area Network）、インターネット等のネットワーク、あるいは、それらが混在するネットワークである。ネットワーク２５０は、有線ネットワークだけでなく、無線ネットワークなども含む。
【００２７】
次に、第２の実施形態の投票端末のハードウェア構成について図３を用いて説明する。図３は、第２の実施形態の投票端末のハードウェア構成の一例を示す図である。
投票端末１００は、制御部１１０と、ディスプレイ１０６と、タッチパネル１０７と、紙幣還流ユニット１２１と、硬貨還流ユニット１２２と、投票券印刷ユニット１２３と、可搬型記録ユニット１２４と、再利用ユニット１５０と、を備える。
【００２８】
投票端末１００は、ＣＰＵ１１１（Central Processing Unit）によって装置全体が制御されている。ＣＰＵ１１１には、バス１１７を介してＲＡＭ（Random Access Memory）１１２と複数の周辺機器が接続されている。ＣＰＵ１１１は、マルチプロセッサであってもよい。ＣＰＵ１１１は、たとえば、ＭＰＵ（Micro Processing Unit）、ＤＳＰ（Digital Signal Processor）、ＡＳＩＣ（Application Specific Integrated Circuit）、またはＰＬＤ（Programmable Logic Device）であってもよい。またＣＰＵ１１１は、ＣＰＵ、ＭＰＵ、ＤＳＰ、ＡＳＩＣ、ＰＬＤのうちの２以上の要素の組み合わせであってもよい。
【００２９】
ＲＡＭ１１２は、投票端末１００の主記憶装置として使用される。ＲＡＭ１１２には、ＣＰＵ１１１に実行させるＯＳ（Operating System）のプログラムやアプリケーションプログラムの少なくとも一部が一時的に格納される。また、ＲＡＭ１１２には、ＣＰＵ１１１による処理に必要な各種データが格納される。
【００３０】
バス１１７に接続されている周辺機器としては、ＨＤＤ（Hard Disk Drive）１１３、通信インタフェース１１４、グラフィック処理ユニット１１５、入出力インタフェース１１６がある。
【００３１】
ＨＤＤ１１３は、内蔵したディスクに対して、磁気的にデータの書き込みおよび読出しを行う。ＨＤＤ１１３は、投票端末１００の補助記憶装置として使用される。ＨＤＤ１１３には、ＯＳのプログラム、アプリケーションプログラム、および各種データが格納される。なお、補助記憶装置としては、フラッシュメモリなどの半導体記憶装置を使用することもできる。
【００３２】
通信インタフェース１１４は、ネットワーク２５０に接続されている。通信インタフェース１１４は、ネットワーク２５０を介して、ホストコンピュータ２００などの機器との間でデータの送受信を行う。
【００３３】
グラフィック処理ユニット１１５には、ディスプレイ１０６が接続されている。グラフィック処理ユニット１１５は、ＣＰＵ１１１からの命令に従って、画像をディスプレイ１０６に表示させる。ディスプレイ１０６としては、ＣＲＴ（Cathode Ray Tube）を用いた表示装置や液晶表示装置などがある。
【００３４】
入出力インタフェース１１６には、タッチパネル１０７と、紙幣還流ユニット１２１と、硬貨還流ユニット１２２と、投票券印刷ユニット１２３と、可搬型記録ユニット１２４と、再利用ユニット１５０とが接続されている。また、入出力インタフェース１１６は、可搬型記録ユニット１２４に対する情報の書き込み及び読み出しが可能な可搬型記録媒体インタフェースと接続可能になっている。
【００３５】
入出力インタフェース１１６は、タッチパネル１０７、紙幣還流ユニット１２１、硬貨還流ユニット１２２、投票券印刷ユニット１２３、可搬型記録ユニット１２４、再利用ユニット１５０から送られてくる信号を、バス１１７を介してＣＰＵ１１１に送信する。また、入出力インタフェース１１６は、ＣＰＵ１１１から送られてくる制御信号を、バス１１７を介して対応するユニットへ送信する。
【００３６】
紙幣還流ユニット１２１は、紙幣の受け入れ、紙幣の真贋の鑑別、紙幣の収納、紙幣の返却、釣銭の排出を行う。硬貨還流ユニット１２２は、硬貨の受け入れ、硬貨の真贋の鑑別、硬貨の収納、硬貨の返却、釣銭の排出を行う。投票券印刷ユニット１２３は、投票内容を印刷して投票券を発行する。
【００３７】
再利用ユニット１５０は、投票券を読み取り、投票券の仕分けを行うユニットである。また、再利用ユニット１５０は、投入された投票券のうち再利用する投票券に印刷等を行う機能も備えている。再利用ユニット１５０は、投票券に文字や図形等を印刷することが可能である。
【００３８】
以上のようなハードウェア構成によって、第２の実施形態の処理機能を実現できる。なお、第１の実施形態に示した投票端末１０も、図２に示した投票端末１００と同様のハードウェアにより実現できる。なお、ホストコンピュータ２００も図３に示した投票端末１００の制御部１１０と同様の構成とできる。
【００３９】
投票端末１００は、たとえば、読み取り可能な記録媒体に記録されたプログラムを実行することにより、第２の実施形態の処理機能を実現する。投票端末１００に実行させる処理内容を記述したプログラムは、様々な記録媒体に記録しておくことができる。たとえば、投票端末１００に実行させるプログラムをＨＤＤ１１３に格納しておくことができる。ＣＰＵ１１１は、ＨＤＤ１１３内のプログラムの少なくとも一部をＲＡＭ１１２にロードし、プログラムを実行する。また、投票端末１００に実行させるプログラムを、光ディスク、メモリ装置、メモリカードなどの可搬型記録ユニット１２４に記録しておくこともできる。可搬型記録媒体に格納されたプログラムは、たとえばＣＰＵ１１１からの制御により、ＨＤＤ１１３にインストールされた後、実行可能となる。また、ＣＰＵ１１１が、可搬型記録媒体から直接プログラムを読出して実行することもできる。
【００４０】
次に、第２の実施形態の再利用ユニットの構成について図４を用いて説明する。図４は、第２の実施形態の再利用ユニットの構成の一例を示す図である。
再利用ユニット１５０は、ギフト券排出口１０８と、投票券投入口１０９と、再利用印刷部１５１と、仕分部１５２と、再利用券収納部１５３と、廃棄券収納部１５５とを含む。ギフト券排出口１０８は、ギフト券が排出される排出口である。投票券投入口１０９は、投票券が投入される投入口である。
【００４１】
再利用印刷部１５１は、投票券の読み取りや、ギフト券の印刷（投票券の上書き印刷）を行う。再利用印刷部１５１は、印刷ユニット１７０ａ，１７０ｂと、券搬送路１９０と、読取センサ１８０ａ，１８０ｂとを含む。また、再利用印刷部１５１は、ローラ１６０ａ，１６０ｂ，１６０ｃ，１６０ｄ，１６０ｅ，１６０ｆ，１６０ｇ，１６０ｈ，１６０ｉ，１６０ｊ，１６０ｋ，１６０ｌ，１６０ｍを含む。また、仕分部１５２は、ローラ１６０ｎ，１６０ｏ，１６０ｐ，１６０ｑ，１６０ｒを含む。また、再利用券収納部１５３は、ローラ１６０ｓと券押部１５４とを含む。以下、特にローラを特定して説明する必要がないときは、ローラ１６０と表記する。なお、図４に示したローラ１６０の矢印は、各ローラ１６０の回転方向を示している。
【００４２】
ローラ１６０は、投票券投入口１０９から投入された投票券を搬送するために用いられる。ローラ１６０は回転し、投票券を券搬送路１９０において移動させることができる。
印刷ユニット１７０ａ，１７０ｂは、投票券に文字や図形を印刷することや、投票券の背景色を変更することが可能である。以下、特に印刷ユニットを特定して説明する必要がないときは、印刷ユニット１７０と表記する。
【００４３】
印刷ユニット１７０は、インクやレーザや熱や磁気等を用いて投票券に印刷等が可能である。また、印刷ユニット１７０は、投票券の表面と裏面の両方に印刷等が可能である。
なお、印刷ユニット１７０は、読取センサ１８０ａ，１８０ｂの後ろからギフト券排出口１０８までの券搬送路１９０の経路のいずれかに設置することが可能である。たとえば、印刷ユニット１７０は、ローラ１６０ｆとローラ１６０ｅの間に設けることが可能である。また、印刷ユニット１７０は、読取センサ１８０ａ，１８０ｂとローラ１６０ｉの間に設けることも可能である。
【００４４】
読取センサ１８０ａ，１８０ｂは、投票券を読み取ることができる。以下、特に読取センサを特定して説明する必要がないときは、読取センサ１８０と表記する。読取センサ１８０は、光学式マーク認識（ＯＭＲ：Optical Mark Recognition）や光学文字認識（ＯＣＲ：Optical Character Recognition）が可能であり、投票券に印刷されたマーク、文字、図形などを読み取る機能を有する。また、読取センサ１８０は、投票券の表面の汚れやキズの有無を読み取る機能も有する。
【００４５】
仕分部１５２は、投入された投票券を再利用券収納部１５３と廃棄券収納部１５５に仕分けを行う。また、仕分部１５２は、再利用券収納部１５３に収納された投票券を再利用する際に投票券を搬送する券搬送路１９０でもある。
【００４６】
再利用券収納部１５３は、再利用する投票券を収納する構造である。再利用券収納部１５３は、収納した投票券を印刷ユニット１７０に向かう券搬送路１９０に排出する。再利用券収納部１５３は、券押部１５４（プッシャーとも記載する）を備える。券押部１５４は、再利用券収納部１５３に積層した投票券を上から押さえる機能を有する。券押部１５４が、再利用券収納部１５３に蓄積した投票券を上から押さえることで、ローラ１６０ｓが左回転し投票券を仕分部１５２に繰り出す動作を補助する。なお、券押部１５４の投票券の繰り出しを補助する機能は、投票券の枚数が少ない場合に有効であるが、券押部１５４は必須の構成要素ではなく必要に応じて備えるものとできる。
【００４７】
廃棄券収納部１５５は、再利用せずに廃棄する投票券を収納する構造である。廃棄券収納部１５５は、投入された投票券のうち、キズや汚れが付着している投票券を収納する。なお、廃棄券収納部１５５には、投票券を排出する排出口を設けてもよい。なお、これらの構造は一例であり、別の構造を設けてもよい。
【００４８】
ここで、再利用ユニット１５０に投票券が投入された場合の投票券の流れについて説明する。
投票券は、投票券投入口１０９から投入され、読取センサ１８０に搬送される。この際、ローラ１６０ｌ，１６０ｊ，１６０ｍ，１６０ｋは、投票券を読取センサ１８０に搬送するように回転する。
【００４９】
投票券に関する情報（投票券の表面のキズや汚れ、投票券に印刷された場名、業種、年月日、金額、バーコード等）は、読取センサ１８０によって読み取られる。
読取センサ１８０で読み取られた投票券に関する情報に基づき、キズや汚れがない投票券は、再利用券収納部１５３に収納される。この際、ローラ１６０ｆ，１６０ｇ，１６０ｉ，１６０ｈ，１６０ｎ，１６０ｏは、投票券を再利用券収納部１５３に搬送するように回転する。
【００５０】
読取センサ１８０で読み取られた投票券に関する情報に基づき、キズや汚れが付着している投票券は、廃棄券収納部１５５に収納される。この際、ローラ１６０ｆ，１６０ｇ，１６０ｉ，１６０ｈ，１６０ｑ，１６０ｒは、投票券を廃棄券収納部１５５に搬送するように回転する。
【００５１】
再利用される投票券は、制御部１１０（ＣＰＵ１１１）からの制御に基づき、再利用券収納部１５３から印刷ユニット１７０に搬送される。この際、ローラ１６０ｓ，１６０ｐ，１６０ｆ，１６０ｇ，１６０ｉ，１６０ｈ，１６０ｅ，１６０ｄは、投票券を印刷ユニット１７０に搬送するように回転する。
【００５２】
印刷ユニット１７０は、投票券にギフト券の情報を印刷し（上書き印刷し）、投票券をギフト券にする。ギフト券（投票券にギフト情報を上書き印刷したギフト券）は、ギフト券排出口１０８から排出される。
【００５３】
なお、上述で説明した再利用ユニット１５０の構成で、投票券投入口１０９とギフト券排出口１０８とを別個の独立した出入口として説明したが、その他の構成であってもよい。たとえば、ギフト券を印刷後に投票券投入口１０９へ戻すルートの券の搬送路を追加する（券の搬送路をループ状とする）ことにより、投票券投入口１０９とギフト券排出口１０８とを兼用（一体とする出入口）としてもよい。
【００５４】
このように、再利用ユニット１５０は、キズや汚れのない投票券を仕分けし、再利用券収納部１５３に蓄積する。再利用ユニット１５０は、制御部１１０からの指示に基づき、再利用券収納部１５３から投票券を印刷ユニット１７０に搬送し、投票券にギフト情報の上書き印刷を行うことで投票券をギフト券として再利用する。
【００５５】
次に、第２の実施形態の投票券およびギフト券について図５を用いて説明する。図５は、第２の実施形態の投票券およびギフト券の一例を示す図である。
図５（Ａ）は、投票券の一例である。投票券は、マークシート方式で記入する投票カードと掛け金を投票端末１００に投入した後、投票端末１００から排出される券である。投票券には、利用者が投票カードにマークで記入した投票内容に基づいて印刷される。投票券には、場名、レース番号、レース開催年月日、投票の式別（賭式の種別）、組番（船番、馬番、枠番等）、投票金額等の投票対象を示す情報が印刷される。また、投票券には、主催者名、発売場所名、投票券を識別する情報（投票券コード）、投票情報を示すバーコード等も印刷される。図５（Ａ）に示す投票券は、ギフト券として再利用される前の投票券の一例であり、その他の表示でもよい。
【００５６】
図５（Ｂ）は、ギフト券の一例である。ギフト券は、投票券を購入する際に金券として利用できる。ギフト券には、ギフト券発行場名（ギフト券の発行場所）、有効期限（有効期間の末尾の日付）、ギフト券の名称（タイトル）、ギフト金額、注意事項、ギフト券を識別する情報（ギフト券コード）、ギフト券の情報を示すバーコード等が印刷される。なお、図５（Ｂ）は、投票券を購入する際に、５００円の金券として用いることができるギフト券の一例である。図５（Ｂ）に示すギフト券は、投票券を再利用した後のギフト券の一例であり、その他の表示でもよい。
【００５７】
次に、第２の実施形態のギフト情報設定ファイルについて図６を用いて説明する。図６は、第２の実施形態のギフト情報設定ファイルの一例を示す図である。
ギフト情報設定ファイル５００は、ギフト券の内容を決定するために投票端末１００において用いられる情報である。ギフト情報設定ファイル５００は、投票端末１００のＨＤＤ１１３等の記憶部に記憶される情報である。ギフト情報設定ファイル５００は、投票システム３００の運用開始時に予めシステム管理者によって登録される情報である。なお、システム管理者は、ギフト情報設定ファイル５００を適宜変更することが可能である。
【００５８】
ギフト情報設定ファイル５００は、自場名、使用可能場名、使用可能業種、有効期間、自場ギフト額、他場ギフト額およびデザインファイルの項目を含む。
自場名の項目には、投票端末１００が設置された場名が登録される。使用可能場名の項目には、ギフト券を使用することが可能な場名が登録される。使用可能業種の項目には、ギフト券を使用することが可能な業種（競馬、競輪、オートレース、ボートレース等）が登録される。有効期間の項目には、ギフト券が有効として使用できる期限が登録される。有効期間の項目は、運用方針により適宜決定できる。たとえば、投票券の投入日から３ヶ月の期限や、投票券を投票したレースの開催日から６ヶ月の期限や、その他の期限であってもよい。
【００５９】
自場ギフト額の項目には、投票端末１００に投入された投票券が自場で発行された投票券である場合のギフト金額が登録される。他場ギフト額の項目には、投票端末１００に投入された投票券が他場で発行された投票券である場合のギフト金額が登録される。なお、自場ギフト額および他場ギフト額の登録内容は、運用方針により適宜決定できる。たとえば、投票端末１００に投入された投票券の枚数に応じたギフト額や、投入された投票券の投票金額の総額に応じたギフト額や、その他の金額であってもよい。デザインファイルの項目には、ギフト券を印刷する際に用いられる画像ファイル等のファイル名が登録される。なお、デザインファイルの項目には、ファイル名のみではなく、ギフト券を印刷するために必要な情報の場所を示す情報（フォルダやディレクトリ名等）を登録してもよいし、文字フォントや文字サイズや色の設定等を登録してもよい。
【００６０】
たとえば、ギフト情報設定ファイル５００には、自場名が「Ａ場」、使用可能場名が「Ａ場、Ｂ場、Ｃ場」、使用可能業種が「ボートレース」、有効期間が「投入日から１年」という情報が登録される。また、ギフト情報設定ファイル５００には、自場ギフト額が「投票券１０枚ごとに１０円」、他場ギフト額が「投票金額１万円ごとに１００円」、デザインファイルが「ＡＢＣ．ｊｐｇ」という情報が登録される。
【００６１】
これは、投票端末１００が設置された場（公営競技場）の名称が「Ａ場」であり、投票端末１００が発行するギフト券が使用可能である場名が「Ａ場、Ｂ場、Ｃ場」であり、ギフト券を使用可能な業種が「ボートレース」であることを示す。また、有効期間が投票端末１００に投票券が投入されてから「１年」であることを示す。また、投票端末１００に投入された投票券が自場で発行された投票券である場合、「投票券１０枚ごとに１０円をギフト金額とする」ことを示す。また、投票端末１００に投入された投票券が他場で発行された投票券である場合、「投票金額１万円ごとに１００円をギフト金額とする」ことを示す。また、ギフト券を印刷する際に用いられるデザインファイルが「ＡＢＣ．ｊｐｇ」であることを示す。
【００６２】
運営者は、ギフト情報設定ファイル５００の設定の内容に応じて、利用者の増加を図ることが可能となる。たとえば、ギフト情報設定ファイル５００において、他場ギフト額の換金率を有利になるように登録し（たとえば、他場で発行された投票券１０枚ごとに１００円や、投票金額に対する換金率を高額に登録等）、かつ使用可能場名を自場と登録する。これにより、他場の利用者に自場のみで利用できるギフト券を配布することで、他場の利用者を自場の利用者として取り込み、自場の利用者の増加を図ることが可能となる。
【００６３】
また、ギフト情報設定ファイル５００において、自場ギフト額の換金率が有利になるように登録し、かつ使用可能場名を自場と登録する。これにより、自場の利用者に自場のみで利用できるギフト券を配布することで、自場の利用者を優遇し自場のリピータの人数の増加を図ることが可能となる。
【００６４】
また、ギフト情報設定ファイル５００において、使用可能場名に自場の運営者と提携している場名を設定する。これにより、自場の利用者に提携している場で利用できるギフト券を配布することで、提携している場の利用者の増加を図ることが可能となる。
【００６５】
また、ギフト情報設定ファイル５００において、ギフト券と交換可能な投票券の最低枚数を多く（たとえば、３０枚以上）設定し、投票券を多く集めることにより、放置される投票券を削減して場内の美化を図るとともに清掃費用削減を図ることが可能となる。
【００６６】
次に、第２の実施形態の投票券再利用処理について図７を用いて説明する。図７は、第２の実施形態の投票券再利用処理のフローチャートを示す図である。
投票券再利用処理は、投票端末１００が、利用者から投票券を受け付け、ギフト券を発券する処理である。投票端末１００の制御部１１０（ＣＰＵ１１１）は、利用者から投票券の投入を受け付け、投票券再利用処理を制御する。
【００６７】
投票端末１００は、投票券投入口１０９に投票券が投入されたことを検知し、処理を開始する。
［ステップＳ１１］制御部１１０は、投票券投入口１０９から投票券を受け付ける。
【００６８】
［ステップＳ１２］制御部１１０は、再利用判定処理を実行する。再利用判定処理は、再利用ユニット１５０の読取センサ１８０で読み取った情報に基づき、投票券を再利用するか否かを判定する処理である。再利用判定処理は、後で図８を用いて説明する。
【００６９】
［ステップＳ１３］制御部１１０は、投票券が的中したか否かを判定する。制御部１１０は、的中した投票券が存在しない場合はステップＳ１４にすすみ、的中した投票券が存在する場合はステップＳ１５にすすむ。なお、制御部１１０は、ホストコンピュータ２００からレース結果の情報を取得し、投票券が的中したか否かを判定する。
【００７０】
制御部１１０は、再利用ユニット１５０の読取センサ１８０において投票券を読み取った情報と、ホストコンピュータ２００から取得する的中情報とを用いて投票券が的中したか否かを判定する。なお、制御部１１０は、投入された投票券に的中券と不的中券の両方が含まれる場合、不的中券に対してステップＳ１４を実行し、的中券に対してステップＳ１５を実行する。
【００７１】
なお、ステップＳ１３において、利用者が投票券を投票端末１００に挿入する際、不的中券の返却を希望する場合は、返却操作を行えば、ギフト券排出口１０８より投入した不的中券が返却されるようにしてもよい。
【００７２】
［ステップＳ１４］制御部１１０は、不的中券の枚数を計数する。
［ステップＳ１５］制御部１１０は、的中券の払戻を実行する。制御部１１０は、読取センサ１８０を介して読み取った投票券の投票内容に関する情報（場名、レース名、レース番号、レース開催年月日、賭式、組番等）をホストコンピュータ２００に送信し、レースの結果やオッズ等の情報をホストコンピュータ２００から取得し、払い戻し金額を算定する。なお、投票端末１００における的中券の払戻処理の詳細については、説明を省略する。
【００７３】
［ステップＳ１６］制御部１１０は、不的中券がギフト券交換下限枚数（たとえば、５枚）以上であるか否かを判定する。制御部１１０は、不的中券が所定の枚数である場合はステップＳ１７にすすみ、所定の枚数でない場合はステップＳ２０にすすむ。
【００７４】
尚、制御部１１０は、ＨＤＤ１１３等の記憶部に予め記憶されたギフト券交換下限枚数を読み出し、枚数を判定する。
［ステップＳ１７］制御部１１０は、ギフト情報生成処理を実行する。ギフト情報生成処理は、ＨＤＤ１１３等の記憶部からギフト情報設定ファイル５００を読み出し、ギフト情報を生成する処理である。ギフト情報生成処理は、後で図９を用いて説明する。
【００７５】
［ステップＳ１８］制御部１１０は、ステップＳ１７で生成されたギフト情報に基づきギフト券を印刷する制御を印刷ユニット１７０で行う。
［ステップＳ１９］制御部１１０は、印刷したギフト券をギフト券排出口１０８から排出する。
【００７６】
［ステップＳ２０］制御部１１０は、ギフト券との交換が不可である旨をディスプレイ１０６に表示し、ステップＳ１１にもどる。
なお、ギフト券に交換できなかった不的中券については、そのまま投票端末１００に回収してもよいし、利用者に返却してもよい。
【００７７】
次に、第２の実施形態の再利用判定処理について図８を用いて説明する。図８は、第２の実施形態の再利用判定処理のフローチャートの一例を示す図である。
再利用判定処理は、再利用ユニット１５０の読取センサ１８０で読み取った情報に基づき、投票券を再利用するか否かを判定する処理である。再利用判定処理は、投票券再利用処理のステップＳ１２で制御部１１０が実行する処理である。なお、再利用判定処理は、複数の投票券が投入された場合、投票券それぞれに対して実行される処理である。
【００７８】
［ステップＳ３１］制御部１１０は、再利用ユニット１５０の読取センサ１８０で読み取った情報に基づき投票券に印刷された情報の読み取りが可能か否かを判定する。制御部１１０は、情報の読み取りが可能である場合はステップＳ３２にすすみ、読み取りが不可である場合はステップＳ３６にすすむ。
【００７９】
［ステップＳ３２］制御部１１０は、投入された投票券が取り扱い可能な条件（場、日付等）の投票券であるか否かを判定する。制御部１１０は、取り扱い可能な投票券である場合はステップＳ３４にすすみ、取り扱い不可である投票券である場合はステップＳ３３にすすむ。
【００８０】
なお、制御部１１０は、ＨＤＤ１１４等の記憶部に予め記憶された取り扱い可能な条件を読み出し、判定を行う。たとえば、取り扱い可能な条件とは、取り扱い場名、レース開催年月日等である。
【００８１】
［ステップＳ３３］制御部１１０は、投票券が取り扱い対象外である旨をディスプレイ１０６に表示し、投票券を投票券投入口１０９から返却する。
なお、制御部１１０は、読取センサ１８０を介して取り扱い対象外の投票券が投入されたことを検知した場合、投票券を読取センサ１８０から投票券投入口１０９に搬送する指示を行う。取り扱い対象外の投票券は、投票券投入口１０９から排出され利用者に返却される。
【００８２】
［ステップＳ３４］制御部１１０は、再利用ユニット１５０の読取センサ１８０で読み取った情報に基づき投票券にキズや汚れが無いか否か（汚損が生じているか否か）を判定する。制御部１１０は、判定した結果、投票券にキズや汚れが無い場合はステップＳ３５にすすみ、キズや汚れがある場合はステップＳ３６にすすむ。
【００８３】
［ステップＳ３５］制御部１１０は、再利用券収納部１５３に収納されている投票券が収納限度枚数以下か否かを判定する。制御部１１０は、再利用可能な投票券が収納限度枚数（たとえば、３００枚等の予め定められた枚数）以下である場合、Ｓ３７にすすむ。制御部１１０は、再利用可能な投票券が収納限度枚数より多い場合、Ｓ３６にすすむ。
【００８４】
なお、制御部１１０は、再利用券収納部１５３に搬送された投票券の枚数と、再利用券収納部１５３から再利用するために搬出された投票券の枚数とを計数し、これらの枚数の差を求めることで再利用券収納部１５３に収納されている投票券の枚数を求める。
【００８５】
［ステップＳ３６］制御部１１０は、投票券を廃棄券収納部１５５に搬送する指示を再利用ユニット１５０に送信する。
［ステップＳ３７］制御部１１０は、投票券を再利用券収納部１５３に搬送する指示を再利用ユニット１５０に送信する。
【００８６】
次に、第２の実施形態のギフト情報生成処理について図９を用いて説明する。図９は、第２の実施形態のギフト情報生成処理のフローチャートの一例を示す図である。
ギフト情報生成処理は、ＨＤＤ１１３等の記憶部からギフト情報設定ファイル５００を読み出し、ギフト情報を生成する処理である。ギフト情報生成処理は、投票券再利用処理のステップＳ１７で制御部１１０が実行する処理である。
【００８７】
［ステップＳ４１］制御部１１０は、ギフト情報設定ファイル５００を読み出す。
［ステップＳ４２］制御部１１０は、ギフト情報設定ファイル５００に含まれる使用可能場名に基づき、ギフト券を使用可能な場名を決定する。
【００８８】
［ステップＳ４３］制御部１１０は、ギフト情報設定ファイル５００に含まれる使用可能業種に基づき、ギフト券を使用可能な業種を決定する。
［ステップＳ４４］制御部１１０は、ギフト情報設定ファイル５００に含まれる有効期間に基づき、ギフト券の有効期間を決定する。たとえば、制御部１１０は、有効期間が「投入日から１年」であり、投票券が投入された日が２０１７年１２月１２日である場合、２０１７年１２月１２日から１年後を有効期間として決定する。
【００８９】
［ステップＳ４５］制御部１１０は、投入された投票券を発行した場名が自場の場名であるか否かを判定する。具体的には、制御部１１０は、投票券から読み取った情報から投票券を発行した場名を取得し、ギフト情報設定ファイル５００の自場名と比較することで、自場の場名であるか否かを判定する。制御部１１０は、投入された投票券を発行した場名が自場の場名である場合はステップＳ４６にすすみ、他場の場名である場合はステップＳ４７にすすむ。
【００９０】
なお、制御部１１０は、投入された投票券に自場が発行した投票券と他場が発行した投票券の両方が含まれる場合、自場が発行した投票券に対してステップＳ４６を実行し、他場が発行した投票券に対してステップＳ４７を実行する。
【００９１】
［ステップＳ４６］制御部１１０は、自場ギフト額を決定する。具体的には、制御部１１０は、投入された自場が発行した投票券とギフト情報設定ファイル５００の自場ギフト額の登録内容に基づき、自場ギフト額を決定する。
【００９２】
たとえば、自場が発行した投票券の枚数が１００枚であり、ギフト情報設定ファイル５００の自場ギフト額の登録内容が「投票券１０枚ごとに１０円」である場合について説明する。制御部１１０は、自場で発行した投票券が１００枚であるため、１００円を自場ギフト額として決定する。
【００９３】
［ステップＳ４７］制御部１１０は、他場ギフト額を決定する。具体的には、制御部１１０は、投入された他場が発行した投票券とギフト情報設定ファイル５００の他場ギフト額の登録内容に基づき、他場ギフト額を決定する。
【００９４】
たとえば、他場が発行した投票券によって投票された投票金額が４万円であり、ギフト情報設定ファイル５００の他場ギフト額の登録内容が「投票金額１万円ごとに１００円」である場合について説明する。制御部１１０は、他場で発行した投票券の投票金額が４万円であるため、４００円を他場ギフト額として決定する。
【００９５】
［ステップＳ４８］制御部１１０は、ギフト券の金額を決定する。制御部１１０は、ステップＳ４６またはＳ４７で決定した金額をギフト券の金額として決定する。なお、制御部１１０は、ステップＳ４６とＳ４７の両方を実行した場合、ステップＳ４６およびステップＳ４７で決定した金額の合計金額をギフト券の金額として決定する。
【００９６】
［ステップＳ４９］制御部１１０は、ギフト情報設定ファイル５００に含まれるデザインファイルの項目に基づき、デザインファイルを取得する。
［ステップＳ５０］制御部１１０は、ギフト情報を生成する。具体的には、制御部１１０は、ステップＳ４２，Ｓ４３，Ｓ４４，Ｓ４８，Ｓ４９で決定した情報と取得したデザインファイルとを含めた情報をギフト情報とする。
【００９７】
このように、投票端末１０，１００は、投票券にギフト券の情報を上書き印刷することで、投票券をギフト券として再利用できる。従来、投票が終了した後の投票券は、ごみとして廃棄処分になるだけであったが、ギフト券にすることにより投票券のリサイクルが可能となる。また、投票端末１０，１００は、投入された投票券に応じてギフト券の内容を決定することで、売り上げの向上を図ることができる。
【００９８】
これにより、投票システム３００は、利用者に対するサービスの向上および売り上げの向上を図る。
なお、上記の処理機能は、コンピュータによって実現することができる。その場合、投票端末１０，１００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ）、磁気テープなどがある。光ディスクには、ＤＶＤ（Digital Versatile Disk）、ＤＶＤ−ＲＡＭ、ＣＤ−ＲＯＭ（Compact Disc - Read Only Memory）／ＲＷ（ReWritable）などがある。光磁気記録媒体には、ＭＯ（Magneto-Optical disk）などがある。
【００９９】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１００】
プログラムを実行するコンピュータは、たとえば、可搬型記録媒体に記録されたプログラムもしくはサーバコンピュータから転送されたプログラムを、自己の記憶装置に格納する。コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【０１０１】
また、上記の処理機能の少なくとも一部を、ＤＳＰ、ＡＳＩＣ、ＰＬＤなどの電子回路で実現することもできる。
また、上述の実施の形態は、実施の形態の要旨を逸脱しない範囲内において種々の変更を加えることができる。
【０１０２】
さらに、上述の実施の形態は、多数の変形、変更が当業者にとって可能であり、説明した正確な構成および応用例に限定されるものではない。
【符号の説明】
【０１０３】
１０  投票端末
１１  読取部
１２  判定部
１３  印刷部
１００  投票端末
１０１  投票カード排出口
１０２  投票カード投入口
１０３  硬貨出入口
１０４  投票券排出口
１０５  紙幣出入口
１０６  ディスプレイ
１０７  タッチパネル
１０８  ギフト券排出口
１０９  投票券投入口
２００  ホストコンピュータ
２５０  ネットワーク
３００  投票システム
【図１】
2019125276.tif 000003
【図２】
2019125276.tif 000004
【図３】
2019125276.tif 000005
【図４】
2019125276.tif 000006
【図５】
2019125276.tif 000007
【図６】
2019125276.tif 000008
【図７】
2019125276.tif 000009
【図８】
2019125276.tif 000010
【図９】
2019125276.tif 000011